(57)【特許請求の範囲】
【請求項１】
MPEG2-TSエンコード回路、蓄積装置、外部入力されるアナログ映像音声信号をデジタル変換した後、得られたデジタル信号を上記MPEG2-TSエンコード回路によってMPEG2-TSに変換して蓄積装置に記録する第１の記録手段、外部入力されるMPEG2-TSを蓄積装置に記録する第２の記録手段、ならびに外部入力されるMPEG2-TSおよび／または蓄積装置に記録されたMPEG2-TSを復号するためのMPEG2-TSデコード回路を備えているデジタル映像音声記録装置において、
外部入力されるMPEG2-TSを低ビットレート変換して蓄積装置に記録する第３の記録手段を備えており、
第３の記録手段は、外部入力されるMPEG2-TSをトランスコードして第１列のMPEG2-TSを生成するためのトランスコード手段、第１列のMPEG2-TSから映像パケットをパケットＩＤに基づいて抽出する第１の抽出手段、外部入力される上記MPEG2-TSからトランスコード対象の映像パケットを除く記録対象パケットからなる第２列のMPEG2-TSをパケットＩＤに基づいて抽出する第２の抽出手段、第２列のMPEG2-TSを所定時間遅延させる遅延手段、および第１の抽出手段によって得られた映像パケットと遅延手段によって遅延された第２列のMPEG2-TSとを多重化する多重化手段を備えており、
上記トランスコード手段は、外部入力されるMPEG2-TSを復号する復号手段、および復号手段によって得られた信号をMPEG2-TSに変換する符号化手段を備えており、上記復号手段として上記MPEG2-TSデコード回路が用いられ、上記符号化手段として上記MPEG2-TSエンコード回路が用いられることを特徴とするデジタル映像音声記録装置。
【請求項２】
上記MPEG2-TSデコード回路および上記MPEG2-TSエンコード回路が上記トランスコード手段の構成要素として用いられている場合には、上記MPEG2-TSデコード回路および上記MPEG2-TSエンコード回路は、外部入力されるMPEG2-TSに含まれる基準クロックに関する情報から再現される、上記入力MPEG2-TSを生成した符号化器の基準クロックに同期したクロックで動作せしめられることを特徴とする請求項１に記載のデジタル映像音声記録装置。
【請求項３】
外部入力されるMPEG2-TSと上記第１列のMPEG2-TSとの間で対応する映像フレームの再生出力時刻管理情報の差分値を算出する手段、ならびに得られた差分値を上記MPEG2-TSエンコード回路で映像フレームに付与された再生出力時刻管理情報および復号時刻管理情報に加算することにより、上記第１列のMPEG2-TSで伝送される映像フレームに付与される再生出力時刻管理情報および復号時刻管理情報を更新する手段を備えていることを特徴とする請求項１および２のいずれかに記載のデジタル映像音声記録装置。
【請求項４】
上記遅延手段は、第２列のMPEG2-TSを、パケット単位毎に、上記トランスコード手段における処理時間に相当する時間分遅延させることを特徴とする請求項１、２および３のいずれかに記載のデジタル映像音声記録装置。
【請求項５】
上記遅延手段による遅延時間は、外部入力されるMPEG2-TSが持つ基準時刻と上記第１列のMPEG2-TSが持つ基準時刻との差分値と、外部入力されるMPEG2-TSと上記第１列のMPEG2-TSとの間で対応する映像フレームの再生出力時刻管理情報の差分値とに基づいて算出されることを特徴とする請求項４に記載のデジタル映像音声記録装置。
【発明の詳細な説明】
【０００１】
【発明の属する技術分野】
この発明は、MPEG2-TSを対象とするビットレート変換機能を有するデジタル映像音声記録装置に関する。
【０００２】
【従来の技術】
図１に示すように、伝送帯域の削減、或いは、記憶容量の削減を目的として、MPEG2-TSからの映像信号とその他の情報( 音声情報、データ等) を分離し、符号量の多い映像情報を低ビットレート変換( トランスコードと呼ばれる）し、得られた映像信号を、再度、音声情報、データ等と多重化するためのビットレート変換処理回路が開発されている。
【０００３】
図１において、矢印の太さはMPEG2-TS伝送レートを示し、矢印内の領域の面積は、映像、音声、データが占める帯域の量を表している。
【０００４】
映像情報に対するトランスコード処理の実現手段としては、次の２つの方法が知られている。
【０００５】
（１）圧縮された映像情報を完全に復号することなく、再エンコードする方法。
（２）圧縮された映像情報を完全に復号し、再エンコードする方法。
【０００６】
MPEG2-TSのビットレート変換におけるトランスコード処理は、特開２００１−２５１６１６公報の図６に開示されているように、上記（１）の方法が用いられている。
【０００７】
上記（１）の方法が用いられる理由としては、エンコード、デコード処理におけるフレームの並び替えに伴う遅延が生じず、そのためのトランスコード対象外ストリームに対する遅延制御が不要であること、トランスコード処理前後で対応する映像フレームのピクチャタイプが変化せず、再生出力時刻管理情報、復号時刻管理情報をそのまま利用できることなどが挙げられる。
【０００８】
ところで、図２に示すように、アナログ映像・音声信号とMPEG2-TSとを外部入力とするデジタル映像音声記録装置が知られている。
【０００９】
このデジタル映像音声記録装置は、Ａ／Ｄ変換器１０１、MPEG2-TSエンコード回路１０２、選択回路１０３、蓄積装置１０４およびMPEG2-TSデコード回路１０５を備えている。
【００１０】
MPEG2-TSエンコード回路１０２は、図３に示すように、基準時刻生成部５１、映像エンコード部５２、音声エンコード部５３およびMPEG2-TS多重化部５４を備えている。映像エンコード部５２によって符号化された映像信号および音声エンコード部５３によって符号化された音声信号は、MPEG2-TS多重化部５４によって多重化されてMPEG2-TSに変換される。
【００１１】
MPEG2-TSデコード回路１０５としては、２つの入力信号を同時に復号可能なものが用いられている。MPEG2-TSデコード回路１０５は、図４に示すように、MPEG2-TS多重化分離部６１、基準時刻・基準クロック生成部６２、再生出力・復号タイミング制御部６３、第１の映像デコード部６４、第１の音声デコード部６５、第２の映像デコード部６６および第２の音声デコード部６７を備えている。
【００１２】
２つのMPEG2-TSがMPEG2-TS多重化分離部６１に入力されたとすると、MPEG2-TS多重化分離部６１では一方のMPEG2-TSから映像パケット（以下、第１の映像パケットという）と音声パケット（以下、第１の音声パケットという）とを分離するとともに、他方のMPEG2-TSから映像パケット（以下、第２の映像パケットという）と音声パケット（以下、第２の音声パケットという）とを分離する。MPEG2-TS多重化分離部６１によって得られた第１の映像パケット、第１の音声パケット、第２の映像パケットおよび第２の音声パケットは、それぞれ第１の映像デコード部６４、第１の音声デコード部６５、第２の映像デコード部６６および第２の音声デコード部６７に送られて復号され、映像信号Ｖ１、音声信号Ａ１、映像信号Ｖ２および音声信号Ａ２として出力される。
【００１３】
アナログ映像・音声信号が入力される場合には、入力されたアナログ映像・音声信号は、Ａ／Ｄ変換器１０１によってデジタル信号に変換された後、MPEG2-TSエンコード回路１０２によってエンコードされることによってMPEG2-TSに変換される。得られたMPEG2-TSは、選択回路１０３を介して蓄積装置１０４に格納される。一方、MPEG2-TSが入力される場合には、入力されたMPEG2-TSは、選択回路１０３を介して蓄積装置１０４に格納される。なお、選択回路１０３の後段に、選択回路１０３から出力されるMPEG2-TSから所望のＴＳパケットをパケットＩＤに基づいて抽出するパケット抽出手段が設けられている場合もある。このようなパケット抽出手段が設けられている場合には、選択回路１０３から出力されるMPEG2-TSに含まれるパケットのうち、所望のパケットのみを蓄積装置１０４に格納できるようになる。
【００１４】
蓄積装置１０４に格納されたMPEG2-TSを出力する場合には、蓄積装置１０４からMPEG2-TSが読み出されて、MPEG2-TSデコード回路１０５に送られる。MPEG2-TSデコード回路１０５によって得られた映像信号Ｖ１，Ｖ２および音声信号Ａ１，Ａ２は図示しない表示装置に送られる。
【００１５】
なお、このデジタル映像音声記録装置は、入力されたMPEG2-TSを、直接、MPEG2-TSデコード回路１０５に送って、デコードして表示装置に送る機能も備えている。
【００１６】
図５は、入力されたMPEG2-TS中の映像情報をトランスコードして、蓄積装置に記録する機能を有するデジタル映像音声記録装置を示している。図５において、図２と同じものには、同じ符号を付してその説明を省略する。
【００１７】
入力されたMPEG2-TS中の映像情報をトランスコードして、蓄積装置に記録する場合には、入力されたMPEG2-TSは、図１で説明したようなMPEG2-TSビットレート変換処理回路１０６および選択回路１０３を介して蓄積装置１０４に格納される。なお、選択回路１０３の後段に、選択回路１０３から出力されるMPEG2-TSから所望のＴＳパケットをパケットＩＤに基づいて抽出するパケット抽出手段が設けられている場合もある。
【００１８】
ところで、図２に示すようなデジタル映像音声記録装置において、MPEG2-TSデコード回路１０５とMPEG2-TSエンコード回路１０２との組み合わせによって上記（２）のトランスコード処理方法を用いたビットレート変換処理を実現することができれば、図５に示すようなMPEG2-TSビットレート変換処理回路１０６を組み込む必要がなくなり、回路規模を抑えることができる。
【００１９】
しかしながら、MPEG2-TSエンコード回路１０２とMPEG2-TSデコード回路１０５との組み合わせによって上記（２）のトランスコード処理方法を用いたビットレート変換処理を実現しようとした場合、次のような問題が生ずる。
【００２０】
つまり、トランスコードの対象となる映像情報は、MPEG2-TSエンコード回路で新たに圧縮符号化されるので、このためにフレームの並び替えに伴う遅延が発生するとともに、トランスコード処理前後で対応する映像フレームのピクチャタイプが変化することもある。また、トランスコード処理後の映像フレームに対しては、MPEG2-TSエンコード回路が有する基準時刻に基づいて、再生出力時刻管理情報および復号時刻管理情報が付与されるので、トランスコード対象外データとして伝送される音声情報、字幕情報等の同期がとれなくなる。
【００２１】
【特許文献】
特開２００１−２５１６１６号公報
【００２２】
【発明が解決しようとする課題】
この発明は、トランスコードの対象となる映像情報がMPEG2-TSエンコード回路で新たに圧縮符号化されることによって生ずる問題を解決し、回路規模の増加を抑えたデジタル映像音声信号記録装置を提供することを目的とする。
【００２３】
【課題を解決するための手段】
請求項１に記載の発明は、MPEG2-TSエンコード回路、蓄積装置、外部入力されるアナログ映像音声信号をデジタル変換した後、得られたデジタル信号を上記MPEG2-TSエンコード回路によってMPEG2-TSに変換して蓄積装置に記録する第１の記録手段、外部入力されるMPEG2-TSを蓄積装置に記録する第２の記録手段、ならびに外部入力されるMPEG2-TSおよび／または蓄積装置に記録されたMPEG2-TSを復号するためのMPEG2-TSデコード回路を備えているデジタル映像音声記録装置において、外部入力されるMPEG2-TSを低ビットレート変換して蓄積装置に記録する第３の記録手段を備えており、第３の記録手段は、外部入力されるMPEG2-TSをトランスコードして第１列のMPEG2-TSを生成するためのトランスコード手段、第１列のMPEG2-TSから映像パケットをパケットＩＤに基づいて抽出する第１の抽出手段、外部入力される上記MPEG2-TSからトランスコード対象の映像パケットを除く記録対象パケットからなる第２列のMPEG2-TSをパケットＩＤに基づいて抽出する第２の抽出手段、第２列のMPEG2-TSを所定時間遅延させる遅延手段、および第１の抽出手段によって得られた映像パケットと遅延手段によって遅延された第２列のMPEG2-TSとを多重化する多重化手段を備えており、上記トランスコード手段は、外部入力されるMPEG2-TSを復号する復号手段、および復号手段によって得られた信号をMPEG2-TSに変換する符号化手段を備えており、上記復号手段として上記MPEG2-TSデコード回路が用いられ、上記符号化手段として上記MPEG2-TSエンコード回路が用いられることを特徴とする。
【００２４】
請求項２に記載の発明は、請求項１に記載のデジタル映像音声記録装置において、上記MPEG2-TSデコード回路および上記MPEG2-TSエンコード回路が上記トランスコード手段の構成要素として用いられている場合には、上記MPEG2-TSデコード回路および上記MPEG2-TSエンコード回路は、外部入力されるMPEG2-TSに含まれる基準クロックに関する情報から再現される、上記入力MPEG2-TSを生成した符号化器の基準クロックに同期したクロックで動作せしめられることを特徴とする。
【００２５】
請求項３に記載の発明は、請求項１乃至２に記載のデジタル映像音声記録装置において、外部入力されるMPEG2-TSと上記第１列のMPEG2-TSとの間で対応する映像フレームの再生出力時刻管理情報の差分値を算出する手段、ならびに得られた差分値を上記MPEG2-TSエンコード回路で映像フレームに付与された再生出力時刻管理情報および復号時刻管理情報に加算することにより、上記第１列のMPEG2-TSで伝送される映像フレームに付与される再生出力時刻管理情報および復号時刻管理情報を更新する手段を備えていることを特徴とする。
【００２６】
請求項４に記載の発明は、請求項１乃至３に記載のデジタル映像音声記録装置において、上記遅延手段は、第２列のMPEG2-TSを、パケット単位毎に、上記トランスコード手段における処理時間に相当する時間分遅延させることを特徴とする。
【００２７】
請求項５に記載の発明は、請求項４に記載のデジタル映像音声記録装置において、上記遅延手段による遅延時間は、外部入力されるMPEG2-TSが持つ基準時刻と上記第１列のMPEG2-TSが持つ基準時刻との差分値と、外部入力されるMPEG2-TSと上記第１列のMPEG2-TSとの間で対応する映像フレームの再生出力時刻管理情報の差分値とに基づいて算出されることを特徴とする。
【００２８】
【発明の実施の形態】
以下、図６〜図８を参照して、この発明の実施の形態について説明する。
【００２９】
〔１〕デジタル映像音声信号記録装置の構成の説明
【００３０】
図６は、デジタル映像音声信号記録装置の構成を示している。図６において、図２と同じものには、同じ符号を付してある。MPEG2-TSデコード回路１０５としては、２つの入力信号を同時に復号可能なものが用いられている。
【００３１】
アナログ映像・音声信号が入力される場合には、入力されたアナログ映像・音声信号は、Ａ／Ｄ変換器１０１によってデジタル信号に変換された後、選択回路１１０を介してMPEG2-TSエンコード回路１０２に送られる。MPEG2-TSエンコード回路１０２に送られたデジタル信号は、MPEG2-TSエンコード回路１０２によってエンコードされることによってMPEG2-TSに変換される。得られたMPEG2-TSは、選択回路１０３を介して蓄積装置１０４に格納される。選択回路１０３の後段に、選択回路１０３から出力されるMPEG2-TSから所望のＴＳパケットをパケットＩＤに基づいて抽出するパケット抽出手段を設けてもよい。
【００３２】
このデジタル映像音声信号記録装置では、MPEG2-TSが入力された場合の記録モードには、通常記録モードと長時間記録モードとがある。
【００３３】
通常記録モードでは、図２の従来例と同様に、入力されたMPEG2-TSがそのまま蓄積装置１０４に格納される。つまり、入力されたMPEG2-TSは、選択回路１０３を介して蓄積装置１０４に格納される。ただし、選択回路１０３の後段に、上述したようなパケット抽出手段が設けられている場合には、入力されたMPEG2-TSに含まれているパケットのうち所望のパケットのみを蓄積装置１０４に格納することが可能となる。
【００３４】
長時間記録モードでは、MPEG2-TSデコード回路１０５とMPEG2-TSエンコード回路１０２との組み合わせによって入力されたMPEG2-TSに対してトランスコード処理が行なわれて、入力されたMPEG2-TSが低ビットレート変換された後に、蓄積装置１０４に格納される。
【００３５】
以下、長時間記録モード時の動作について詳しく説明する。長時間記録モードによる記録を実現するために、デジタル映像音声信号記録装置は、MPEG2-TS分離／遅延／再多重回路２００を備えている。図７は、MPEG2-TS分離／遅延／再多重回路２００の構成を示している。また、図８は、長時間記録モード時での映像フレームの復号処理および再生出力処理のタイミングを示している。
【００３６】
長時間記録モード時においては、入力されたMPEG2-TSは、MPEG2-TSデコード回路１０５に送られるとともにMPEG2-TS分離／遅延／再多重回路２００にも送られる。
【００３７】
MPEG2-TSデコード回路１０５に送られた入力MPEG2-TSは、MPEG2-TSデコード回路１０５によって非圧縮デジタル信号に復号された後、選択回路１１０を介してMPEG2-TSエンコード回路１０２に送られる。MPEG2-TSエンコード回路１０２に送られた非圧縮デジタル信号は、MPEG2-TSエンコード回路１０２によって、所望のビットレートで再度圧縮符号化され、MPEG2-TS分離／遅延／再多重回路２００内の第１のMPEG2-TS多重分離部２０１（図７参照）に入力される。このように、トランスコード処理された映像情報を含むMPEG2-TSを第１列のMPEG2-TSと呼ぶことにする。
【００３８】
第１のMPEG2-TS多重分離部２０１は、トランスコード処理の対象となる映像情報を伝送するパケットのみをパケットIDに基づいて後段に通過させるための処理を行う。第１のMPEG2-TS多重分離部２０１から出力されたパケット（映像情報を伝送するパケット）は、時刻情報更新部２０３に送られる。
【００３９】
一方、MPEG2-TS分離／遅延／再多重回路２００に送られた入力MPEG2-TSは、MPEG2-TS分離／遅延／再多重回路２００内の第２のMPEG2-TS分離部２０４に入力される。第２のMPEG2-TS分離部２０４は、トランスコード処理の対象となる映像情報を伝送するパケットを除く記録対象パケットを、パケットIDに基づいて後段に通過させるための処理を行う。第２のMPEG2-TS分離部２から出力されるMPEG2-TSを第２列のMPEG2-TSと呼ぶことにする。第２のMPEG2-TS分離部２から出力される第２列のMPEG2-TSは、遅延用バッファ２０６に送られる。
【００４０】
第１の時刻情報抽出部２０２は、第１列のMPEG2-TSが有する基準時刻(STC1)と映像フレーム(n) に付与されている再生出力時刻管理情報（PTS(n) on STC1) とを抽出する。抽出された基準時刻(STC1)は、遅延制御部２０７に送られる。また、抽出された再生出力時刻管理情報（PTS(n) on STC1) は、時刻情報差分値算出部２０８に送られる。
【００４１】
第２の時刻情報抽出部２０５は、入力MPEG2-TSが有する基準時刻(STC2)と映像フレーム(n) に付与されている再生出力時刻管理情報（PTS(n) on STC2) とを抽出する。映像フレーム(n) は、トランスコード処理前後で対応する映像フレームを指す。抽出された基準時刻(STC2)は、遅延制御部２０７に送られる。また、抽出された再生出力時刻管理情報（PTS(n) on STC2) は、時刻情報差分値算出部２０８に送られる。
【００４２】
時刻情報差分値算出部２０８は、第１列のMPEG2-TSで伝送される映像フレーム(n) に付与された再生出力時刻管理情報（PTS(n) on STC1) と、入力MPEG2-TSに含まれる映像フレーム(n) に付与されている再生出力時刻管理情報（PTS(n) on STC2) との差分ΔPTS （＝PTS(n) on STC2−PTS(n) on STC1）を算出する。
【００４３】
時刻情報更新部２０３は、第１列のMPEG2-TSで伝送される映像フレーム(n) に付与された再生出力時刻管理情報と復号時刻管理情報の更新処理を行う。
【００４４】
再生出力時刻管理情報の更新処理については、第１列のMPEG2-TSで伝送される映像フレーム(n) に付与された再生出力時刻管理情報（PTS(n) on STC1) を、入力MPEG2-TSに含まれる映像フレーム(n) に付与されている再生出力時刻管理情報（PTS(n) on STC2) に更新すればよい。具体的には、第１列のMPEG2-TSで伝送される映像フレーム(n) に付与された再生出力時刻管理情報（PTS(n) on STC1) に時刻情報差分値算出部２０８によって算出された差分ΔPTS （＝PTS(n) on STC2−PTS(n) on STC1）を加算することにより、再生出力時刻管理情報を更新している。このようにすると、第１列のMPEG2-TSに含まれる映像情報と第２列のMPEG2-TSに含まれる音声情報、字幕情報等との同期がとられる。
【００４５】
復号時刻管理情報の更新処理については、第１列のMPEG2-TSで伝送される映像フレーム(n) に付与されていた復号時刻管理情報（DTS(n) on STC1) を、入力MPEG2-TSに含まれる映像フレーム(n) に付与されていた復号時刻管理情報（DTS(n)
on STC2) に単に更新することはできない。
【００４６】
この理由は、トランスコード処理前後では、ピクチャ構造が異なるため、復号順序が変化するからである。例えば、図８のフレーム Fn+1 に着目した場合、入力MPEG2-TSにおいてはＢピクチャとして符号化されているが、MPEG2-TSエンコード回路１０２から出力されるMPEG2-TSにおいてはＰピクチャとして符号化されている。
【００４７】
そこで、第１列のMPEG2-TSで伝送される映像フレーム(n) に付与された復号時刻管理情報（DTS(n) on STC1) に時刻情報差分値算出部２０８によって算出された差分ΔPTS （＝PTS(n) on STC2−PTS(n) on STC1）を加算することにより、復号時刻管理情報を更新している。
【００４８】
時刻情報更新部２０３によって再生出力時刻管理情報と復号時刻管理情報時刻とが更新された第１列のMPEG2-TSは、MPEG2-TS多重化部２０９に送られる。また、遅延用バッファ２０６から出力された第２列のMPEG2-TSは、MPEG2-TS多重化部２０９に送られる。MPEG2-TS多重化部２０９は、第１列のMPEG2-TSと第２列のMPEG2-TSとを多重する。この結果、ビットレート変換されたMPEG2-TSが得られる。このビットレート変換されたMPEG2-TSは、選択回路１０３（図６参照）を介して蓄積装置１０４に格納される。
【００４９】
MPEG2-TS多重化部２０９による多重化は同一時間軸上で行われる必要がある。このためには、第１列のMPEG2-TSが持つ基準時刻STC1と第２列のMPEG2-TSが持つ基準時刻STC2との刻み幅を一致させておく必要がある。そこで、MPEG2-TSデコード回路１０５において入力MPEG2-TSを生成した符号化器の動作クロックと同期したクロックをそのMPEG2-TSに含まれる基準クロックに関する情報から再生し、得られたクロックを動作クロックとしてMPEG2-TSエンコード回路１０２を動作させることにより、第１列のMPEG2-TSが持つ基準時刻と第２列のMPEG2-TSが持つ基準時刻との刻み幅を一致させる。
【００５０】
遅延制御部２０７には、STC1、STC2の他、時刻情報差分値算出部２０８によって算出された差分ΔPTS （＝PTS(n) on STC2−PTS(n) on STC1）も入力されている。遅延制御部２０７は、パケット単位毎に、トランスコード処理時間（MPEG2-TSデコード回路１０５における復号処理時間とMPEG2-TSエンコード回路１０２における符号化処理時間との和に相当する時間）分、第２列のMPEG2-TSを遅延制御することにより、第２列のMPEG2-TSの基準時刻と第１列のMPEG2-TSの基準時刻とを一致させる。
【００５１】
トランスコード処理時間ΔT は、図８で示した処理時間（フレームFnの再生出力時間差) であり、次式（１）によって表される。
【００５２】
0003749216.tif 000002
【００５３】
上記MPEG2-TS分離／遅延／再多重回路２００は、回路規模の大きな専用のMPEG2-TSビットレート変換処理回路に比べて、比較回路、加減算回路、遅延回路等から構成されているため、その構成が簡単である。上記MPEG2-TS分離／遅延／再多重回路２００では遅延用バッファが必要となるが、遅延対象データが数百Kbpsの音声データであり、遅延量が200msec(約６フレーム分の遅延量に相当）程度であるとすると、約５KBのバッファ量のものでよい。つまり、上記実施の形態によれば、回路規模の増加を抑えたコストパフォーマンスの良い長時間記録機能を持つデジタル映像音声信号記録装置が得られる。
【００５４】
なお、MPEG2-TSデコード回路１０５として、２つの入力信号を同時に復号可能なものが用いられているので、長時間記録モード時にMPEG2-TSデコード回路１０５およびMPEG2-TSエンコード回路１０２を利用してトランスコード処理を行っている場合においても、蓄積装置１０４に蓄積されているMPEG2-TSを読み出し、MPEG2-TSデコード回路１０５でデコードして表示装置に表示させることも可能である。
【００５５】
【発明の効果】
この発明によれば、トランスコードの対象となる映像情報がMPEG2-TSエンコード回路で新たに圧縮符号化されることによって生ずる問題を解決し、回路規模の増加を抑えたデジタル映像音声信号記録装置が実現する。
【図面の簡単な説明】
【図１】  MPEG2-TSからの映像信号とその他の情報を分離し、符号量の多い映像情報を低ビットレート変換し、得られた映像信号を、再度、音声情報、データ等と多重化するためのビットレート変換処理回路を示すブロック図である。
【図２】従来のデジタル映像音声記録装置の構成を示すブロック図である。
【図３】図２のMPEG2-TSエンコード回路１０２の構成を示すブロック図である。
【図４】図２のMPEG2-TSデコード回路１０５の構成を示すブロック図である。
【図５】入力されたMPEG2-TS中の映像情報をトランスコードして、蓄積装置に記録する機能を有する従来のデジタル映像音声記録装置の構成を示すブロック図である。
【図６】この発明の実施の形態におけるデジタル映像音声信号記録装置の構成を示すブロック図である。
【図７】図６のMPEG2-TS分離／遅延／再多重回路２００の構成を示すブロック図である。
【図８】長時間記録モード時での映像フレームの復号処理および再生出力処理のタイミングを示すタイムチャートである。
【符号の説明】
１０２  MPEG2-TSエンコード回路
１０５  MPEG2-TSデコード回路
２０１  第１のMPEG2-TS多重分離部
２０２  第１の時刻情報抽出部
２０３  時刻情報更新部
２０４  第２のMPEG2-TS多重分離部
２０５  第２の時刻情報抽出部
２０６  遅延用バッファ
２０７  遅延制御部
２０８  時刻情報差分値算出部
２０９  MPEG2-TS多重化部
【図１】
0003749216.tif 000003
【図２】
0003749216.tif 000004
【図３】
0003749216.tif 000005
【図４】
0003749216.tif 000006
【図５】
0003749216.tif 000007
【図６】
0003749216.tif 000008
【図７】
0003749216.tif 000009
【図８】
0003749216.tif 000010